(57)【要約】【課題】  番組視聴中のチャンネルのＣＭ中に他チャンネルへ切り替え、他チャンネルの番組を継続視聴した場合に、切り替え前チャンネルの番組のＣＭ終了後の続きを視聴できるようにする。【解決手段】  番組またはＣＭである映像データを含む複数のチャンネルを受信し、視聴チャンネルの映像データを表示装置へ出力する映像受信機において、視聴時間が既定の条件を満たした視聴チャンネルを、録画候補チャンネルとして登録してＣＭを検出し、ＣＭ中にチャンネルが切り替えられ、その後に当該ＣＭが終了して番組へ変更したときに、録画候補チャンネルの映像データの録画を開始するよう構成する。【選択図】          図２
2011166548.tif 000002
【特許請求の範囲】
【請求項１】
番組またはコマーシャルメッセージである映像データを含む複数のチャンネルを受信し、視聴チャンネルとして選局された受信チャンネルの映像データを表示装置へ出力する映像受信機において、
前記視聴チャンネルの連続した選局時間を計測し、計測値が既定の条件を満たした場合に当該視聴チャンネルを録画候補チャンネルとして登録する選局登録部、
前記録画候補チャンネルの映像データを解析し、番組であるかコマーシャルメッセージであるかを検出するＣＭ検出部、
前記ＣＭ検出部がコマーシャルメッセージであることを検出した場合に前記視聴チャンネルを監視し、前記コマーシャルメッセージ中に前記録画候補チャンネル以外のチャンネルが選局され視聴チャンネルとなるチャンネル切替を検出する選局判定部、
前記選局判定部が前記チャンネル切替を検出し、その後に前記ＣＭ検出部が前記コマーシャルメッセージの番組への変更を検出したときに、前記録画候補チャンネルの映像データの録画を開始する録画処理部
を備えることを特徴とする映像受信機。
【請求項２】
番組またはコマーシャルメッセージである映像データを含む複数のチャンネルを受信し、視聴チャンネルとして選局された受信チャンネルの映像データを表示装置へ出力する映像受信機において、
前記視聴チャンネルの連続した選局時間を計測し、計測値が既定の条件を満たした場合に当該視聴チャンネルを録画候補チャンネルとして登録する選局登録部、
前記視聴チャンネルを監視し、前記録画候補チャンネル以外のチャンネルが選局され視聴チャンネルとなるチャンネル切替を検出する選局判定部、
前記選局判定部が前記チャンネル切替を検出した場合に、継続受信中の前記録画候補チャンネルの映像データを解析し、番組であるかコマーシャルメッセージであるかを検出するＣＭ検出部、
前記ＣＭ検出部が前記チャンネル切替時にコマーシャルメッセージであることを検出し、その後に当該コマーシャルメッセージの番組への変更を検出したときに、前記録画候補チャンネルの映像データの録画を開始する録画処理部
を備えることを特徴とする映像受信機。
【請求項３】
前記選局判定部は、視聴チャンネルを監視し、前記録画候補チャンネルが選局され視聴チャンネルとなるチャンネル切替を検出する機能をさらに備え、
前記録画処理部による録画開始後に、前記選局判定部が、前記録画候補チャンネルを視聴チャンネルとするチャンネル切替を検出した場合に、録画した映像データを再生し表示装置へ出力する再生処理部
を備えることを特徴とする請求項１または２に記載の映像受信機。
【請求項４】
番組またはコマーシャルメッセージである映像データを含む複数のチャンネルを受信し、視聴チャンネルとして選局された受信チャンネルの映像データを表示装置へ出力する映像受信機の映像データ録画方法において、
前記視聴チャンネルの連続した選局時間を計測し、計測値が既定の条件を満たした場合に当該視聴チャンネルを録画候補チャンネルとして登録する登録ステップ、
前記登録ステップで登録された録画候補チャンネルの映像データを解析し、番組であるかコマーシャルメッセージであるかを検出するＣＭ検出ステップ、
前記ＣＭ検出ステップでコマーシャルメッセージであることを検出した場合に前記視聴チャンネルを監視し、前記コマーシャルメッセージ中に前記録画候補チャンネル以外のチャンネルが選局され視聴チャンネルとなるチャンネル切替を検出する切替検出ステップ、
前記切替検出ステップでチャンネル切替を検出し、その後に前記コマーシャルメッセージの番組への変更を検出したときに、前記録画候補チャンネルの映像データの録画を開始する録画処理ステップ
を備えることを特徴とする映像データ録画方法。
【請求項５】
番組またはコマーシャルメッセージである映像データを含む複数のチャンネルを受信し、視聴チャンネルとして選局された受信チャンネルの映像データを表示装置へ出力する映像受信機の映像データ録画方法において、
前記視聴チャンネルの連続した選局時間を計測し、計測値が既定の条件を満たした場合に当該視聴チャンネルを録画候補チャンネルとして登録する登録ステップ、
前記視聴チャンネルを監視し、前記録画候補チャンネル以外のチャンネルが選局され視聴チャンネルとなるチャンネル切替を検出する切替検出ステップ、
前記切替検出ステップで前記チャンネル切替を検出した場合に、継続受信中の前記録画候補チャンネルの映像データを解析し、番組であるかコマーシャルメッセージであるかを検出するＣＭ検出ステップ、
前記ＣＭ検出ステップで前記チャンネル切替時にコマーシャルメッセージであることを検出し、その後に当該コマーシャルメッセージの番組への変更を検出したときに、前記録画候補チャンネルの映像データの録画を開始する録画処理ステップ
を備えることを特徴とする映像データ録画方法。
【発明の詳細な説明】
【技術分野】
【０００１】
この発明は、ＩＰネットワークを使用して配信される映像データの受信機に関し、特に映像番組の録画を制御する技術に関する。
【背景技術】
【０００２】
現在、通常の地上波テレビ放送に加え、ケーブルテレビ放送、ＢＳ・ＣＳ放送といった様々な放送サービスが存在する。そうした中、近年ＩＰネットワークを使用した映像配信サービス（以下、ＩＰ映像配信サービス）が出現している。ＩＰ映像配信サービスにおいては、地上デジタルテレビ放送の再送信が開始され、視聴者の視聴可能な番組数が益々増加する傾向にある。多数の番組が視聴可能な状態において、視聴者は視聴中のチャンネルでコマーシャルメッセージ（以下、ＣＭ）が放送されている間に、別チャンネルへ切り替えて他の番組をチェックするというザッピングと呼ばれる行動をとることがある。
【０００３】
ザッピングを行い、かつＣＭ終了後に元のチャンネルの番組を見続けるための技術としては、ＣＭの開始と終了を検出し、ＣＭ中に他チャンネルの画像を自動的に表示し、ＣＭ終了時に自動的に元の視聴チャンネルを選択することが開示されている（例えば、特許文献１）。
【先行技術文献】
【特許文献】
【０００４】
【特許文献１】特開平５−３１６４４０公報
【発明の概要】
【発明が解決しようとする課題】
【０００５】
ザッピングを行う視聴者の希望として、ＣＭ中のザッピングにより他チャンネルを視聴し、ＣＭ終了後には元のチャンネルの番組の続きを視聴したいが、ザッピングにより見つけた他チャンネルの番組も継続して視聴したいというものがある。
【０００６】
特許文献１に開示のような従来技術では、ＣＭ中に他チャンネルを視聴することはできるが、ＣＭ終了時に自動的に元のチャンネルへ戻ってしまうため、ザッピングにより見つけた他チャンネルの番組を継続して視聴するにはチャンネルの再選択が必要であり、操作が煩雑になる。また、他チャンネルの番組を継続視聴した場合、元のチャンネルの番組の続きは視聴できない、という問題点があった。
【０００７】
本発明は、このような問題点を解決するためになされたものであり、ＣＭ中のザッピングにより見つけた他チャンネルの番組と、元のチャンネルの番組の続きを、両方視聴することのできる映像受信機を得ることを目的とする。
【課題を解決するための手段】
【０００８】
本発明の映像受信機は、番組またはコマーシャルメッセージである映像データを含む複数のチャンネルを受信し、視聴チャンネルとして選局された受信チャンネルの映像データを表示装置へ出力する映像受信機であって、前記視聴チャンネルの連続した選局時間を計測し、計測値が既定の条件を満たした場合に当該視聴チャンネルを録画候補チャンネルとして登録する選局登録部と、前記録画候補チャンネルの映像データを解析し、番組であるかコマーシャルメッセージであるかを検出するＣＭ検出部と、前記ＣＭ検出部がコマーシャルメッセージであることを検出した場合に前記視聴チャンネルを監視し、前記コマーシャルメッセージ中に前記録画候補チャンネル以外のチャンネルが選局され視聴チャンネルとなるチャンネル切替を検出する選局判定部と、前記選局判定部が前記チャンネル切替を検出し、その後に前記ＣＭ検出部が前記コマーシャルメッセージの番組への変更を検出したときに、前記録画候補チャンネルの映像データの録画を開始する録画処理部とを備える。
【発明の効果】
【０００９】
本発明の映像受信機は、視聴（選局）時間が既定の条件を満たした視聴チャンネルを、録画候補チャンネルとして登録してＣＭを検出し、ＣＭ中にチャンネルが切り替えられ、その後に当該ＣＭが終了して番組へ変更したときに、録画候補チャンネルの映像データの録画を開始するよう構成したので、ユーザーがＣＭ中に他チャンネルへ切替え視聴をしても、視聴中であった元のチャンネルの番組をＣＭ後の続きから視聴可能となり、ユーザの利便性が向上する。
【図面の簡単な説明】
【００１０】
【図１】本発明に係る映像受信機のネットワーク構成例を示す模式図である。
【図２】本発明に係る映像受信機の内部構成を示すブロック図である。
【図３】本発明の実施の形態１に係る映像受信機の動作を示すフローチャートである。
【図４】本発明の実施の形態１に係る映像受信機のチャンネル受信状況を示す時系列チャートである。
【図５】本発明の実施の形態２に係る映像受信機の動作を示すフローチャートである。
【図６】本発明の実施の形態２に係る映像受信機のチャンネル受信状況を示す時系列チャートである。
【図７】本発明の実施の形態３に係る映像受信機の動作を示すフローチャートである。
【発明を実施するための形態】
【００１１】
実施の形態１．
本発明の実施の形態１に係る映像受信機を、図を用いて説明する。図１は、本発明に係るＩＰ映像配信サービスの全体構成を示す概略図である。図１において、１１は複数のチャンネルの映像データを配信する映像配信事業者のサーバー、１２はインターネット網、１３は映像配信事業者がサーバー１１から配信する映像データを受信する映像受信機、１４は映像受信機１３の出力する映像信号を表示する表示装置、１５は映像受信機１３用のリモートコントローラ（以下、リモコン）である。視聴者は、テレビなどの表示装置１４に映像受信機１３を接続し、この映像受信機１３をインターネット網１２に接続することで、映像配信事業者のサーバー１１から配信される多チャンネルの番組を視聴する。また、リモコン１５を用いて、映像受信機１３のチャンネル切替などの操作を行う。
【００１２】
図２は、映像受信機１３の内部構成を示すブロック図である。図２に示すように、映像受信機１３は、通信制御部２１、出力部２２、操作部２３、制御部２４、記憶部２５を備えている。通信制御部２１は、ＬＡＮにより構成され、映像配信事業者のサーバー１１と通信するための通信プロトコルを実装し、配信される映像データなどを受信するとともに、受信した映像データを制御部２４へ出力する。出力部２２は、制御部２４から入力する選択された映像データ信号を表示装置１４へ外部出力するための出力端子を含み構成されている。操作部２３は、キー入力用操作ボタン、リモコン１５と無線通信を行う無線モジュールを含み構成される。ユーザ（視聴者を含む）が映像受信機１３の操作を行うために使用し、ボタンの押下などの操作に基づいた信号を、制御部２４へ出力する。
【００１３】
制御部２４は、中央演算処理装置（ＣＰＵ）により構成され、録画処理部２４１、ＣＭ検出部２４２、再生処理部２４３、選局判定部２４４を有する。通信制御部２１で受信する番組の録画予約や録画した番組の再生等を行うためのコンピュータプログラム、および処理用データを利用して、上記各部の処理を実施する。制御部２４において、録画処理部２４１は、通信制御部２１で受信した番組情報から番組の終了時刻を認識し、所定のデータ形式で番組の映像データを録画して記憶部２５に格納する。ＣＭ検出部２４２は、映像配信事業者のサーバー１１より配信され、通信制御部２１で受信した映像データを解析し、受信中の映像データが番組であるかコマーシャル（ＣＭ）であるかを検出する。再生処理部２４３は、通信制御部２１で受信した視聴チャンネルの映像データをデコードして出力部２２へ出力、また録画した番組を記憶部２５から読み出し再生して出力部２２へ出力する。選局判定部２４４は、操作部２３を使用したユーザのチャンネル選択（選局）操作を監視し、視聴チャンネルの変更（チャンネル切替）を検出する。選局登録部２４５は、選局判定部２４４の検出結果により選局された視聴チャンネルの連続した選局時間（連続視聴時間）を連続視聴タイマで計測し、この連続視聴タイマの値が既定の条件を満たしたことに基づき、選局中の視聴チャンネルを録画候補チャンネルとして記憶部２５へ登録する。
【００１４】
記憶部２５は、ＲＡＭ、ＲＯＭ等の記録媒体により構成され、番組の録画予約／録画番組の再生のためのプログラム等のアプリケーションプログラム、各部で行う各種処理データを記憶する。また、録画処理部２４１が行う番組録画のための番組録画テーブルを格納する。
【００１５】
次に、映像受信機１３の処理動作について説明する。図３は、この映像受信機１３が行う処理動作を示すフローチャートである。ユーザが操作部２３を操作することにより映像受信機１３が起動され、再生処理部２４３が通信制御部２１の受信する映像データをデコードし、出力部２２を介して表示装置１４へ出力する。起動時に選択される初期チャンネルは、例えば、前回最後に視聴していたチャンネルであり、このチャンネルの番組、または起動直後にユーザにより選択されたチャンネルの番組が表示装置１４に表示される（ステップＳ１０１）。
【００１６】
チャンネルの選局と同時に、選局登録部２４５は自身が管理している連続視聴タイマをゼロにクリアする（ステップＳ１０２）。この状態で、ユーザが視聴番組を録画する場合は、ユーザによるリモコン１５または操作部２３の操作（図示しない特定ボタンの押下など）に基づき、録画処理部２４１による録画の処理がなされる。
【００１７】
ステップＳ１０３において、選局登録部２４５は、前記連続視聴タイマが指定の閾値を超えているかどうかの判定を行い、超えていない場合（ステップＳ１０３、ＮＯ）は、選局判定部２４４が視聴の中断または終了の判定を行う（ステップＳ１０４）。ユーザによる視聴の中断または終了の操作がなされたと判定した場合（ステップＳ１０４、ＹＥＳ）は、処理を終了する。ステップＳ１０４において、視聴の中断または終了の操作がなく、見続けている状態と判定した場合（ステップＳ１０４、ＮＯ）は、選局登録部２４５が連続視聴タイマの値をインクリメントする（ステップＳ１０５）。インクリメントの精度は、１秒毎、５秒毎など任意に設定する。
【００１８】
続いて、ステップＳ１０６において、選局判定部２４４は、操作部２３に対するチャンネル切換操作の有無を判定し、チャンネル切換操作があった場合（ステップＳ１０６、ＹＥＳ）は、ステップＳ１０２へ戻り、選局登録部２４５が連続視聴タイマをゼロクリアして以下のステップを続ける。チャンネル切換操作がないと判定した場合（ステップＳ１０６、ＮＯ）は、連続視聴タイマの閾値判定ステップＳ１０３へ戻り、以下のステップを続ける。
【００１９】
連続視聴タイマの閾値で定める一定時間以上、同じチャンネルが選局／視聴され続け、ステップＳ１０３の判定において、連続視聴タイマの値が指定の閾値を超えたと判定された場合（ステップＳ１０３、ＹＥＳ）、選局登録部２４５は選局中の視聴チャンネルを録画候補チャンネルとして記憶部２５へ登録する（ステップＳ１０７）。次に、ステップＳ１０８において、録画処理部２４１は、記憶部２５に録画のためのリソースが空いているかどうかの判断を行う。録画リソースがあると判断した場合（ステップＳ１０８、ＹＥＳ）は、ＣＭ検出部２４２がステップＳ１０７において記憶部２５へ登録した録画候補チャンネルの映像が番組であるかＣＭであるかを検出し判定するＣＭ判定を行う（ステップＳ１０９）。このＣＭ判定は、記憶部２５へ録画候補チャンネルが登録された後のＣＭ監視期間中に適宜行う。
【００２０】
一方、ステップＳ１０８の録画リソース判断において、例えば、記憶部２５の録画可能チャンネル数がＮ（Ｎは正の整数）である場合、既にＮチャンネル分の録画が実行されていると空きリソースはなく、新たな録画要求は受付できない（ステップＳ１０８、ＮＯ）。この場合は、ステップＳ１１４において、ユーザに対して録画不可の通知を出力部２２を通じて行う処理（録画リソースＮＧ処理）を行い、ステップＳ１０４へ進む。
【００２１】
ステップＳ１０９において、登録した録画候補チャンネルをＣＭ中と判定した場合（ステップＳ１０９、ＹＥＳ）、ステップＳ１１０において選局判定部２４４がチャンネル選択状態の判定を行う。このとき、選局中の視聴チャンネルが前記登録した録画候補チャンネルと同じであれば（ステップＳ１１０、ＮＯ）、ステップＳ１０４へ進む。異なるチャンネルであれば（ステップＳ１１０、ＹＥＳ）、選局登録部２４５は、連続視聴タイマのクリアを行い（ステップＳ１１１）、ステップＳ１１２におけるＣＭ検出部２４２による録画候補チャンネルのＣＭ終了判定後、録画処理部２４１が当該録画候補チャンネルで受信中の番組の記憶部２５への録画を開始し（ステップＳ１１３）、ステップＳ１０４へ進む。
【００２２】
図４は、映像配信事業者のサーバー１１より配信される映像データの状況と、映像受信機１３の当該映像データの受信状況を、チャンネル毎時系列的に示した図である。本図は、上述した選局判定部２４４の管理する連続視聴タイマの閾値を５分とした場合の例を示している。各チャンネルＡ、Ｂ、およびＣでは、番組もしくはＣＭの映像データが配信されている。映像受信機１３が映像データを受信し、表示装置１４へ出力している状態を「視聴」状態とする。
【００２３】
まず、通信制御部２１によりチャンネルＡの映像データを受信し、チャンネルＡの視聴状態になる（Ｔ２０１）。２分視聴後に操作部２３でチャンネルＢへのチャンネル切替が行われ、通信制御部２１はチャンネルＢの映像データを受信し、チャンネルＢの視聴状態になる（Ｔ２０２）。このときは連続視聴タイマが閾値５分を超えていないので、チャンネルＡは録画候補チャンネルには登録されない。次に、チャンネルＢの視聴時間が５分を経過すると、連続視聴タイマが閾値５分を超えたことに基づき選局登録部２４５がチャンネルＢを録画候補チャンネルとして記憶部２５へ登録する（Ｔ２０３）。
【００２４】
その後、チャンネルＢの映像データがＣＭとなり、チャンネルＢの視聴時間１５分の時点で、操作部２３でのユーザの操作などに基づきチャンネルＣへのチャンネル切替が行われ、チャンネルＣの視聴状態となる（Ｔ２０４）。チャンネルＣへの切替時、チャンネルＢはＣＭ中で、かつ録画候補チャンネルとして登録されているので、ＣＭ検出部２４２によるチャンネルＢのＣＭ状態の監視が行われる（Ｔ２０５）。チャンネルＢのＣＭ終了時点において、チャンネルＣが引き続き視聴状態なので、録画処理部２４１はチャンネルＢの番組録画を開始する（Ｔ２０６）。この録画動作は、特別な操作がなされない限り、チャンネルＢの番組終了まで続く。
【００２５】
録画中、または録画終了後に、録画したチャンネルＢの映像データを再生することで、チャンネルＢの番組のＣＭ後からの続きが表示装置１４に表示される。
【００２６】
上記によれば、実施の形態１の映像受信機は、閾値で定めた所定時間以上にわたり視聴したチャンネルを、録画候補チャンネルとして登録してＣＭ監視を行い、ＣＭ中にチャンネルを切り替えた場合に、当該ＣＭ終了時に録画候補チャンネルの映像データの録画を開始するよう構成したので、ＣＭ中に他チャンネルへ切替え視聴をしても、視聴中であった元のチャンネルの番組をＣＭ後の続きから視聴可能となり、ユーザの利便性が向上する。
【００２７】
実施の形態２．
実施の形態２の映像受信機は、実施の形態１における映像受信機１３に、録画された番組の再生タイミングを判定し自動的に再生する機能を追加したものである。本実施の形態２に係るＩＰ映像配信サービスの全体構成は図１に示す概略図と同じであり、映像受信機のブロック構成は、図２に示す映像受信機１３と同じである。処理動作について、図５を用いて説明する。
【００２８】
図５は、実施の形態２に係る映像受信機１３が行う処理動作を示すフローチャートである。ユーザが操作部２３を操作することにより映像受信機１３が起動され、再生処理部２４３が通信制御部２１の受信する映像データをデコードし、出力部２２を介して表示装置１４へ出力する。起動時に選択される初期チャンネルは、例えば、前回最後に視聴していたチャンネルであり、このチャンネルの番組、または起動直後にユーザにより選択されたチャンネルの番組が表示装置１４に表示される（ステップＳ３０１）。
【００２９】
チャンネルの選局と同時に、選局登録部２４５は自身が管理している連続視聴タイマをゼロにクリアする（ステップＳ３０２）。この状態で、ユーザが視聴番組を録画する場合は、ユーザによるリモコン１５または操作部２３の操作（図示しない特定ボタンの押下など）に基づき、録画処理部２４１による録画の処理がなされる。
【００３０】
ステップＳ３０３において、選局登録部２４５は、前記連続視聴タイマが指定の閾値を超えているかどうかの判定を行い、超えていない場合（ステップＳ３０３、ＮＯ）は、ステップＳ３０４へ進む。一方、連続視聴タイマの閾値で定める一定時間以上、同じチャンネルが選局／視聴され続け、連続視聴タイマの値が指定の閾値を超えたと判定された場合（ステップＳ３０３、ＹＥＳ）、選局登録部２４５は選局中の視聴チャンネルを録画候補チャンネルとして記憶部２５へ登録する（ステップＳ３０７）。
【００３１】
次に、ステップＳ３０８において、録画処理部２４１は、記憶部２５に録画のためのリソースが空いているかどうかの判断を行う。録画リソースがあると判断した場合（ステップＳ３０８、ＹＥＳ）は、ＣＭ検出部２４２がステップＳ３０７において記憶部２５へ登録した録画候補チャンネルの映像が番組であるかＣＭであるかを検出し判定するＣＭ判定を行う（ステップＳ３０９）。このＣＭ判定は、記憶部２５へ録画候補チャンネルが登録された後のＣＭ監視期間中に適宜行う。
【００３２】
ステップＳ３０８の録画リソース判断において、例えば、記憶部２５の録画可能チャンネル数がＮ（Ｎは正の整数）である場合、既にＮチャンネル分の録画が実行されていると空きリソースはなく、新たな録画要求は受付できない（ステップＳ３０８、ＮＯ）。この場合は、ステップＳ３１４において、ユーザに対して録画不可の通知を出力部２２を通じて行う処理（録画リソースＮＧ処理）を行い、ステップＳ３０４へ進む。
【００３３】
ステップＳ３０９において、登録した録画候補チャンネルがＣＭ中でないと判定した場合（ステップＳ３０９、ＮＯ）、ステップＳ３０４へ進む。登録した録画候補チャンネルをＣＭ中と判定した場合（ステップＳ３０９、ＹＥＳ）、ステップＳ３１０において選局判定部２４４がチャンネル選択状態の判定を行う。このとき、選局中の視聴チャンネルが前記登録した録画候補チャンネルと同じであれば（ステップＳ３１０、ＮＯ）、ステップＳ３０４へ進む。異なるチャンネルであれば（ステップＳ３１０、ＹＥＳ）、選局登録部２４５は、連続視聴タイマのクリアを行い（ステップＳ３１１）、ステップＳ３１２におけるＣＭ検出部２４２による録画候補チャンネルのＣＭ終了判定後、録画処理部２４１が当該録画候補チャンネルで受信中の番組の記憶部２５への録画を開始する（ステップＳ３１３）。録画が終了すると、ステップＳ３０４へ進む。
【００３４】
ステップＳ３０４では、選局判定部２４４が視聴の中断または終了の判定を行う。ユーザによる視聴の中断または終了の操作がなされたと判定した場合（ステップＳ３０４、ＹＥＳ）は、処理を終了する。視聴の中断または終了の操作がなく、見続けている状態と判定した場合（ステップＳ３０４、ＮＯ）は、選局登録部２４５が連続視聴タイマの値をインクリメントする（ステップＳ３０５）。インクリメントの精度は、１秒毎、５秒毎など任意に設定する。
【００３５】
続いて、ステップＳ３０６において、選局判定部２４４は、操作部２３に対するチャンネル切換操作の有無を判定し、チャンネル切換操作がないと判定した場合（ステップＳ３０６、ＮＯ）は、連続視聴タイマの閾値判定ステップＳ３０３へ戻り、以下のステップを続ける。チャンネル切替操作があった場合（ステップＳ３０６、ＹＥＳ）、選局判定部２４４は、チャンネル切替後のチャンネルがステップＳ３１３で録画を開始したチャンネルか否かを判断する（ステップＳ３１５）。
【００３６】
ステップＳ３１５において、選局判定部２４４が、チャンネル切替後のチャンネルが録画を開始したチャンネルでないと判断した場合（ステップＳ３１５、ＮＯ）は、ステップＳ３０２へ戻り、選局登録部２４５が連続視聴タイマをゼロクリアして以下のステップを続ける。チャンネル切替後のチャンネルが録画を開始したチャンネルであると判断した場合（ステップＳ３１５、ＹＥＳ）、再生処理部２４３が当該録画した映像データ（番組）を、録画開始時点から再生し（ステップＳ３１６）、ステップＳ３０２へ戻って処理を続ける。
【００３７】
図６は、映像配信事業者のサーバー１１より配信される映像データの状況と、映像受信機１３の当該映像データの受信状況を、チャンネル毎時系列的に示した図である。本図は、選局判定部２４４の管理する連続視聴タイマの閾値を５分とした場合の例を示している。各チャンネルＡ、Ｂ、およびＣでは、番組もしくはＣＭの映像データが配信されている。映像受信機１３が映像データを受信し、表示装置１４へ出力している状態を「視聴」状態とする。
【００３８】
まず、通信制御部２１によりチャンネルＡの映像データを受信し、チャンネルＡの視聴状態になる（Ｔ４０１）。２分視聴後に操作部２３でチャンネルＢへのチャンネル切替が行われ、通信制御部２１はチャンネルＢの映像データを受信し、チャンネルＢの視聴状態になる（Ｔ４０２）。このときは連続視聴タイマが閾値５分を超えていないので、チャンネルＡは録画候補チャンネルには登録されない。次に、チャンネルＢの視聴時間が５分を経過すると、連続視聴タイマが閾値５分を超えたことを選局判定部２４４が判定し、チャンネルＢを録画候補チャンネルとして記憶部２５へ登録する（Ｔ４０３）。
【００３９】
その後、チャンネルＢの映像データがＣＭとなり、チャンネルＢの視聴時間１５分の時点で、操作部２３でのユーザの操作などに基づきチャンネルＣへのチャンネル切替が行われ、チャンネルＣの視聴状態となる（Ｔ４０４）。チャンネルＣへの切替時、チャンネルＢはＣＭ中で、かつ録画候補チャンネルとして登録されているので、ＣＭ検出部２４２によるチャンネルＢのＣＭ状態の監視が行われる（Ｔ４０５）。チャンネルＢのＣＭ終了時点において、チャンネルＣが引き続き視聴状態なので、録画処理部２４１はチャンネルＢの番組録画を開始する（Ｔ４０６）。この録画動作は、特別な操作がなされない限り、チャンネルＢの番組終了まで続く。
【００４０】
Ｔ４０６でチャンネルＢの番組録画を開始した後、チャンネルＣの視聴中に再度チャンネルＢへのチャンネル切替が行われた場合（Ｔ４０７）、再生処理部２４３はチャンネルＢの録画データを録画開始時点から再生する（Ｔ４０８）。これにより、チャンネルＢの番組のＣＭ後からの続きが表示装置１４に表示される。
【００４１】
尚、チャンネルＢの録画データの再生は、チャンネルＣの視聴が終了した時点で行うようにしてもよい。
【００４２】
上記によれば、実施の形態２の映像受信機は、閾値で定めた所定時間以上にわたり視聴したチャンネルを、録画候補チャンネルとして登録してＣＭ監視を行い、ＣＭ中にチャンネルを切り替えた場合に、当該ＣＭ終了時に録画候補チャンネルの映像データの録画を開始するよう構成したので、ＣＭ中に他チャンネルへ切替え視聴をしても、視聴中であった元のチャンネルの番組をＣＭ後の続きから視聴可能となり、ユーザの利便性が向上する。
【００４３】
また、録画開始後、録画候補チャンネル（チャンネルＢ）へのチャンネル切替時点、もしくは視聴チャンネル（チャンネルＣ）の視聴が終了した時点で、録画候補チャンネルの録画データの再生を開始することで、ユーザの利便性がさらに向上する。
【００４４】
実施の形態３．
実施の形態３の映像受信機は、実施の形態２における映像受信機１３において、録画候補チャンネルの映像データを録画開始するプロセスを変更したものである。本実施の形態３に係るＩＰ映像配信サービスの全体構成は図１に示す概略図と同じであり、映像受信機のブロック構成は、図２に示す映像受信機１３と同じである。処理動作について、図７を用いて説明する。
【００４５】
図７は、実施の形態３に係る映像受信機１３が行う処理動作を示すフローチャートである。ユーザが操作部２３を操作することにより映像受信機１３が起動され、再生処理部２４３が通信制御部２１の受信する映像データをデコードし、出力部２２を介して表示装置１４へ出力する。起動時に選択される初期チャンネルは、例えば、前回最後に視聴していたチャンネルであり、このチャンネルの番組、または起動直後にユーザにより選択されたチャンネルの番組が表示装置１４に表示される（ステップＳ５０１）。
【００４６】
チャンネルの選局と同時に、選局登録部２４５は自身が管理している連続視聴タイマをゼロにクリアする（ステップＳ５０２）。この状態で、ユーザが視聴番組を録画する場合は、ユーザによるリモコン１５または操作部２３の操作（図示しない特定ボタンの押下など）に基づき、録画処理部２４１による録画の処理がなされる。
【００４７】
ステップＳ５０３において、選局登録部２４５は、前記連続視聴タイマが指定の閾値を超えているかどうかの判定を行い、超えていない場合（ステップＳ５０３、ＮＯ）は、ステップＳ５０４へ進む。一方、連続視聴タイマの閾値で定める一定時間以上、同じチャンネルが選局／視聴され続け、連続視聴タイマの値が指定の閾値を超えたと判定された場合（ステップＳ５０３、ＹＥＳ）、選局登録部２４５は選局中の視聴チャンネルを録画候補チャンネルとして記憶部２５へ登録する（ステップＳ５０７）。
【００４８】
次に、ステップＳ５０８において、録画処理部２４１は、記憶部２５に録画のためのリソースが空いているかどうかの判断を行う。例えば、記憶部２５の録画可能チャンネル数がＮ（Ｎは正の整数）である場合、既にＮチャンネル分の録画が実行されていると空きリソースはなく、新たな録画要求は受付できない（ステップＳ５０８、ＮＯ）。この場合は、ステップＳ５１４において、ユーザに対して録画不可の通知を出力部２２を通じて行う処理（録画リソースＮＧ処理）を行い、ステップＳ５０４へ進む。
【００４９】
ステップＳ５０８の録画リソース判断において、録画リソースがあると判断した場合（ステップＳ５０８、ＹＥＳ）、選局判定部２４４は、録画候補チャンネルとして登録した視聴チャンネルを監視し、チャンネル選択状態の判定を行う（ステップＳ５０９）。このとき、選局中の視聴チャンネルが前記登録した録画候補チャンネルと同じであれば（ステップＳ５０９、ＮＯ）、ステップＳ５０４へ進む。一方、チャンネルが切り替えられ、録画候補チャンネル以外のチャンネルが視聴チャンネルとして選局されたと判定すると（ステップＳ５０９、ＹＥＳ）、選局登録部２４５は、連続視聴タイマのクリアを行い（ステップＳ５１０）、ＣＭ検出部２４２が、通信制御部２１において継続受信中である録画候補チャンネルの映像データについて、番組であるかＣＭであるかを検出し判定するＣＭ判定を行う（ステップＳ５１１）。
【００５０】
ステップＳ５１１のＣＭ判定において、登録した録画候補チャンネルがＣＭ中でないと判定した場合（ステップＳ５１１、ＮＯ）は、ステップＳ５０４へ進む。一方、登録した録画候補チャンネルをＣＭ中と判定した場合（ステップＳ５１１、ＹＥＳ）、ＣＭ検出部２４２は、このＣＭの監視を行い、ＣＭが終了し番組へ変更したことを検出すると（ステップＳ５１２）、録画処理部２４１が当該録画候補チャンネルの映像データの記憶部２５への録画を開始する（ステップＳ５１３）。録画が終了すると、ステップＳ５０４へ進む。
【００５１】
ステップＳ５０４では、選局判定部２４４が視聴の中断または終了の判定を行う。ユーザによる視聴の中断または終了の操作がなされたと判定した場合（ステップＳ５０４、ＹＥＳ）は、処理を終了する。視聴の中断または終了の操作がなく、見続けている状態と判定した場合（ステップＳ５０４、ＮＯ）は、選局登録部２４５が連続視聴タイマの値をインクリメントする（ステップＳ５０５）。インクリメントの精度は、１秒毎、５秒毎など任意に設定する。
【００５２】
続いて、ステップＳ５０６において、選局判定部２４４は、操作部２３に対するチャンネル切換操作の有無を判定し、チャンネル切換操作がないと判定した場合（ステップＳ５０６、ＮＯ）は、連続視聴タイマの閾値判定ステップＳ５０３へ戻り、以下のステップを続ける。チャンネル切替操作があった場合（ステップＳ５０６、ＹＥＳ）、選局判定部２４４は、チャンネル切替後のチャンネルがステップＳ５１３で録画を開始したチャンネルか否かを判断する（ステップＳ５１５）。
【００５３】
ステップＳ５１５において、選局判定部２４４が、チャンネル切替後のチャンネルが録画を開始したチャンネルでないと判断した場合（ステップＳ５１５、ＮＯ）は、ステップＳ５０２へ戻り、選局登録部２４５が連続視聴タイマをゼロクリアして以下のステップを続ける。チャンネル切替後のチャンネルが録画を開始したチャンネルであると判断した場合（ステップＳ５１５、ＹＥＳ）、再生処理部２４３が当該録画した映像データ（番組）を、録画開始時点から再生し（ステップＳ５１６）、ステップＳ５０２へ戻って処理を続ける。
【００５４】
尚、映像配信事業者のサーバー１１より配信される映像データの状況と、映像受信機１３の当該映像データの受信状況については、実施の形態２の図６に示す時系列チャートと同様である。
【００５５】
上記によれば、実施の形態３の映像受信機は、閾値で定めた所定時間以上にわたり視聴したチャンネルを、録画候補チャンネルとして登録してチャンネルの選局状態を監視し、チャンネル切替時に録画候補チャンネルがＣＭ中であった場合に、当該ＣＭ終了時に録画候補チャンネルの映像データの録画を開始するよう構成したので、ＣＭ中に他チャンネルへ切替え視聴をしても、視聴中であった元のチャンネルの番組をＣＭ後の続きから視聴可能となり、ユーザの利便性が向上する。
【００５６】
また、録画開始後、録画候補チャンネルへのチャンネル切替時点で、録画候補チャンネルの録画データの再生を開始することで、ユーザの利便性がさらに向上する。
【符号の説明】
【００５７】
１３  映像受信機、  １４  表示装置、  ２１  通信制御部、  ２２  出力部、
２４  制御部、  ２４１  録画処理部、  ２４２  ＣＭ検出部、  
２４３  再生処理部、２４４  選局判定部、  ２４５  選局登録部
【図１】
2011166548.tif 000003
【図２】
2011166548.tif 000004
【図３】
2011166548.tif 000005
【図４】
2011166548.tif 000006
【図５】
2011166548.tif 000007
【図６】
2011166548.tif 000008
【図７】
2011166548.tif 000009